(57)【特許請求の範囲】
【請求項１】
円筒容器と、該円筒容器の下部に設けられた絶縁スペーサ及び脚部と、前記円筒容器の上部に付設されたフランジと、該フランジに取付けられて、計器用変圧器に設けられている天井カバーと、前記円筒容器内を真空引きし、絶縁性ガスを充填するためのガスバルブとを備え、
前記円筒容器と絶縁スペーサ及び天井カバーとで密閉空間を形成し、この密封空間内に、前記ガスバルブにより絶縁性ガスを充填すると共に前記計器用変圧器を内蔵し、かつ前記天井カバーは、前記円筒容器から前記計器用変圧器と共に取り出し可能に前記フランジに取付けられていることを特徴とする計器用変圧器の輸送装置。
【請求項２】
前記計器用変圧器の一次巻線から引き出された端子と、前記絶縁スペーサに埋め込まれた導体と、前記端子と導体とを接続するばねと、前記天井カバーに設けられ、前記計器用変圧器の二次巻線から引き出された端子部とを備えていることを特徴とする請求項１に記載の計器用変圧器の輸送装置。
【請求項３】
前記円筒容器は、吸着剤を入れるための吸着剤収納部を備えていることを特徴とする請求項１又は２に記載の計器用変圧器の輸送装置。
【請求項４】
計器用変圧器を、請求項１，２、又は３に記載の計器用変圧器の輸送装置に収納し、前記計器用変圧器の一次巻線と前記絶縁スペーサに埋め込まれた導体を電気的に接続し、前記計器用変圧器の二次巻線と前記天井カバーに設けられた端子部を電気的に接続して組立てて前記計器用変圧器の絶縁試験を行った後に、その状態で輸送することを特徴とする計器用変圧器の輸送方法。
【発明の詳細な説明】
【０００１】
【発明の属する技術分野】
本発明は、計器用変圧器の輸送装置及び方法に係わり、特に信頼性の向上を図るのに好適な計器用変圧器の輸送装置及び輸送方法に関する。
【０００２】
【従来の技術】
計器用変圧器は、いくつかの密閉容器内に遮断器，断路器，接地開閉器等を互いに電気的に接続する通電導体を収納し絶縁性ガスを充填してなり、縮小化や絶縁性能及び安全性に優れているガス絶縁開閉装置の構成機器の一つとして広く設置されている。
【０００３】
このような計器用変圧器において、従来の機器は、特開平10−75513 号公報，特開昭60−187217号公報，特開昭60−183908号公報に記載のように、接続導体，接続導体に接続された断路器，断路器に接続されたケーブルヘッド、断路器とケーブルヘッドとの間に一端が接続された避雷器、三相のうちの一相に設けられ断路器とケーブルヘッドとの間に一端が接続された単相電圧変成器を収納した線路側ユニットに組み込まれている。
【０００４】
【発明が解決しようとする課題】
上記したように、従来の計器用変圧器は、線路側ユニットの他の複数の機器と共に一つの密閉容器内に収納されているため、計器用変圧器は線路側ユニットに組み込む際に大気中に開放される。ところが、大気中に開放する時間に比例して計器用変圧器の巻線に水分や塵埃等が付着することにより信頼性が低下してしまうという問題があった。
【０００５】
本発明の第１の目的は、計器用変圧器を組立てた後、線路側ユニットに組み込むまでの間、計器用変圧器を大気に曝さない計器用変圧器の輸送装置を提供することにある。
【０００６】
本発明の第２の目的は、計器用変圧器の組立てから計器用変圧器の絶縁試験を実施でき、輸送用タンクから計器用変圧器を容易に取り出すことのできる計器用変圧器の輸送方法を提供することにある。
【０００７】
【課題を解決するための手段】
上記第１の目的を達成するために、本発明の計器用変圧器の輸送装置は、円筒容器と、該円筒容器の下部に設けられた絶縁スペーサ及び脚部と、前記円筒容器の上部に付設されたフランジと、該フランジに取付けられて、計器用変圧器に設けられている天井カバーと、前記円筒容器内を真空引きし、絶縁性ガスを充填するためのガスバルブとを備え、前記円筒容器と絶縁スペーサ及び天井カバーとで密閉空間を形成し、この密封空間内に、前記ガスバルブにより絶縁性ガスを充填すると共に前記計器用変圧器を内蔵し、かつ前記天井カバーは、前記円筒容器から前記計器用変圧器と共に取り出し可能に前記フランジに取付けられていることを特徴とする。
【０００８】
又、上記第２の目的を達成するために、本発明の計器用変圧器の輸送方法は、計器用変圧器を、請求項１，２、又は３に記載の計器用変圧器の輸送装置に収納し、前記計器用変圧器の一次巻線と前記絶縁スペーサに埋め込まれた導体を電気的に接続し、前記計器用変圧器の二次巻線と前記天井カバーに設けられた端子部を電気的に接続して組立てて前記計器用変圧器の絶縁試験を行った後に、その状態で輸送することを特徴とする。
【０００９】
【発明の実施の形態】
本発明の一実施例を図１，図２を用いて説明する。図１に示すように、本実施例の線路側ユニット１の容器は、垂直方向の円筒容器部分２ａと、この円筒容器部分２ａの上部で水平方向に形成された円筒容器部分２ｂで構成されている。円筒容器部分２ｂの端部には絶縁スペーサ３が設けられており、円筒容器部分２ａの上端部にはフランジ部が設けられ、このフランジ部には、円形の穴部５を有する天板４が取付けられている。天板４の穴部５には、計器用変圧器６に設けられた天板カバー７が取付けられている。天板カバー７には、端子部８が設けられている。計器用変圧器６は、一次巻線を内蔵したシールド部１０と鉄心部９及び二次巻線から電圧を取り出すための端子部１１で構成されている。
【００１０】
この計器用変圧器６を輸送する際は、輸送装置内に密封されて輸送され、線路側ユニット１を組立てる時に、線路側ユニット１の内部を組立てた後、輸送用装置から取り出して、図１に示すように、天板４に設けられた穴部５から挿入して、天板カバー７を天板４に取付けることにより組立てられる。なお、計器用変圧器６を挿入する穴部５の位置は、計器用変圧器６をガス絶縁開閉装置のタンク内に設置する位置により変更できる。
【００１１】
輸送装置の輸送用タンク２０は、図２に示すように円筒容器２１及び下部に設けられた絶縁スペーサ２２，脚部２３により構成されている。円筒容器２１には、輸送用タンク２０を吊り上げるための吊り耳２４及びガスバルブ２５，吸着剤を入れるための収納部２６が取付けられている。絶縁スペーサ２２に埋め込まれた導体２７とシールド部２８の下端に設けられている端子２９とは、ばね３０により電気的に接続されている。絶縁スペーサ２２の下方には脚部２３が取付けられており、地上に載置できるようになっている。円筒容器２１の上端にはフランジ３１が設けられており、フランジ３１に天板カバー３２がシール材を介してボルトで固定されている。フランジ３１には保護カバー３３が取付けられており、端子部３４を保護している。輸送用タンク２０内に計器用変圧器６を組み込んだ後、タンク内を真空引きし、絶縁性ガスを充填するためにガスバルブ２５を設けている。
【００１２】
輸送用タンク２０を上記のように構成しているので、計器用変圧器６は輸送時及び保管時に大気中に曝されることがなく、絶縁性能の低下を招く水分及び塵埃が計器用変圧器６の巻線内に浸入するのを防ぐことができる。
【００１３】
また、計器用変圧器６を線路側ユニット１に組み込むときは、天板４に設けられた穴部５から挿入して、天板カバー３２を取付ければ真空引きできるため、組立時間が短縮され、水分や塵埃の浸入を少なくできるので、計器用変圧器の信頼性を向上できる。
【００１４】
また、絶縁スペーサ２２を設けて外部に引き出された導体２７と計器用変圧器６の端子２９とをばね３０により電気的に接続しており、ガスバルブ２５により輸送用タンク２０内のガス圧力を所望の圧力に設定できるため、計器用変圧器６の絶縁耐圧試験を適切な時期に行うことができる。
【００１５】
【発明の効果】
以上のように本発明によれば、計器用変圧器を輸送タンク内に組み込んでから絶縁耐圧試験を経て線路側ユニットに組み込むまでの間、大気中に曝されることなく輸送及び保管ができるため計器用変圧器の信頼性の向上を図ることができる。また、計器用変圧器を線路側ユニットに組み込む時間を短縮することができるので、絶縁性能の低下の原因となる水分や塵埃の浸入を少なくできるので、計器用変圧器の信頼性を向上できる。
【図面の簡単な説明】
【図１】本発明の一実施例である線路側ユニットの部分縦断面図である。
【図２】本実施例の輸送装置の構成を示す正面図である。
【符号の説明】
１…線路側ユニット、２…円筒容器部分、３，２２…絶縁スペーサ、４…天板、５…穴部、６…計器用変圧器、７…天板カバー、８，１１，３４…端子部、
１０，２８…シールド部、２０…輸送用タンク、２１…円筒容器、２３…脚部、
２４…吊り耳、２５…ガスバルブ、２６…収納部、２７…導体、２９…端子、
３０…ばね、３１…フランジ、３２…天板カバー、３３…保護カバー。
【図１】
0004088376.tif 000002
【図２】
0004088376.tif 000003